(57)【要約】【課題】スピーカの鳴動に起因する振動音を低減可能な音響装置と、音声再生機能を有する端末装置とを提供する。【解決手段】スピーカの鳴動に起因する振動音を、固有共振周波数に基づいて減衰させるフィルタを設ける。【選択図】図４
2007243360.tif 000002
【特許請求の範囲】
【請求項１】
端末機器と、
前記端末機器が載置可能な載置部および前記端末機器が前記載置部に載置されている状態を保持する保持部を備えた置き台と、
前記端末機器または前記置き台の少なくとも一方に設けられて、音響信号を出力する音源手段と、
前記端末機器または前記置き台の少なくとも一方に設けられて、前記端末機器が前記載置部に載置された状態で前記音源手段から出力された音響信号に基づき音響出力する音響出力手段と
を備えた音響装置において、
前記端末機器と前記置き台との一方に設けられて、前記音源手段から出力される音響信号の前記端末機器または前記置き台の少なくとも一方の固有共振周波数の成分を減衰させる減衰手段を有し、
前記減衰手段にて前記固有共振周波数に対する周波数の成分が減衰された音響信号に応じた音響を前記音響出力手段から出力させる
ように構成されたことを特徴とする、音響装置。
【請求項２】
前記端末機器は、前記載置部に載置されたときに前記置き台を識別する置き台識別手段を有し、
前記減衰手段が、前記端末機器に配設されて、前記置き台の固有共振周波数に対する前記音響信号の周波数の成分を減衰するとともに、前記置き台識別手段による識別結果に応じて減衰する成分の周波数を変更する減衰周波数変更手段を有する
ことを特徴とする、請求項１に記載の音響装置。
【請求項３】
前記置き台は、前記載置部に前記端末機器に載置されたときに前記端末機器を識別する端末機器識別手段を有し、
前記減衰手段が、前記置き台に配設されて、前記端末機器の固有共振周波数に対する前記音響信号の周波数の成分を減衰するとともに、前記端末機器識別手段による識別結果に応じて減衰する周波数を変更する減衰周波数辺変更手段を有する
ことを特徴とする、請求項１に記載の音響装置。
【請求項４】
前記音響出力手段は、前記端末機器に配設され、
前記減衰手段は、前記端末機器の固有共振周波数に対する前記音響信号の周波数の成分を減衰する
ことを特徴とする、請求項１乃至３のいずれか１項に記載の音響装置。
【請求項５】
前記減衰手段は、前記端末機器および前記置き台の各固有共振周波数に対する前記音響信号の周波数の成分を減衰する
ことを特徴とする、請求項１乃至４のいずれか１項に記載の音響装置。
【請求項６】
置き台に載置可能な筐体と、
音響信号を出力する音源手段と、
前記置き台に載置された状態で、前記筐体または前記置き台の少なくとも一方に設けられた音響出力手段に前記音源手段から出力された音響信号を伝送する音響信号伝送手段と  を備えた端末装置において
前記音響信号伝送手段は、自端末または前記置き台の少なくとも一方の固有共振周波数に対する前記音響手段から出力される音響信号の周波数の成分を減衰させる減衰手段を有して、当該減衰手段は前記固有共振周波数に対する周波数の成分が減衰された音響信号を前記音響周波数手段に伝送する
ように構成されたことを特徴とする、端末装置。
【請求項７】
前記筐体が前記置き台に載置されたときに前記置き台を識別する置き台識別手段を備え、
前記減衰手段は、前記置き台の固有共振周波数に対する音響信号の周波数の成分を減衰するとともに、前記置き台識別手段による識別結果に応じて減衰する周波数を変更する減衰周波数変更手段を有する
ことを特徴とする、請求項６に記載の端末装置。
【発明の詳細な説明】
【技術分野】
【０００１】
本発明は、端末装置と、端末装置を載置して当該端末装置と協働して音響を提供する音響装置に関する。
【背景技術】
【０００２】
たとえば、自宅に帰宅したとき、携帯電話機を充電台に載置して、携帯電話機内のバッテリを充電することは広く行われている。
【０００３】
さらに、充電機能に加えて、スピーカを付加した接続装置が提案されており、接続装置に携帯電話機が載置された（置かれた）ときに、携帯電話機内のバッテリを充電しながら、携帯電話機で受信した音響信号、たとえば、ダウンロードした音楽を、携帯電話機内のスピーカだけではなく、接続装置内のスピーカで聴くことも可能になっている。
【０００４】
接続装置内は携帯電話機内よりも空間的余裕があり、接続装置内のスピーカは、通常、携帯電話機内のスピーカより大型で性能の良いものにすることができるから、携帯電話機で受信した音楽を接続装置内のスピーカで再生すると、良質で大きな再生音が得られるという利点がある。
【発明の開示】
【発明が解決しようとする課題】
【０００５】
しかしながら、携帯電話機と接続装置とは着脱容易になっていて、操作の容易性を維持するため、携帯電話機を接続装置に載置しただけで上述した用途が達成可能なように、最小限の接点と、保持加重動作点に設定する必要がある。
【０００６】
すなわち、携帯電話機は接続装置に軽く載置した状態（遊嵌状態）になっているから、携帯電話機のスピーカ、または、接続装置のスピーカを鳴動させると、種々の固有共振周波数において振動し、振動音が出る。この振動音をビビリ音と呼ぶ。
振動は主に、接続装置と携帯電話機との接点（接続端子）、携帯電話機を接続装置が保持している部分に起こる。
上記固有共振周波数としては、携帯電話機の筐体の固有共振周波数、接続装置の固有共振周波数などがある。
【０００７】
接続装置のスピーカを用いて良質の音を再生しているにも係わらず、ビビリ音が大きいと、そのスピーカで再生した音質が低下することを意味する。
【０００８】
上述したビビリ音を低減する方法としては、接点の荷重圧力を調整したり、携帯電話機の保持部に振動を低減する緩衝材を装着するなどの対策を講じている。
【０００９】
しかしながら、理想的な荷重圧力をとることは難しい。
また、着脱耐数の低下、接続装置の生産性の低下などの課題があり、接続装置の製品としての信頼性を低下させる可能性があった。
【００１０】
さらに、好ましくは、接続装置は低価格が要望されているが、従来の方法では、価格が高騰する可能性があった。
【００１１】
本発明は、上記例示した振動音を低減可能な音響装置と、音声再生機能を有する端末装置を提供することにある。
【課題を解決するための手段】
【００１２】
本発明によれば、端末機器と、前記端末機器が載置可能な載置部および前記端末機器が前記載置部に載置されている状態を保持する保持部を備えた置き台と、前記端末機器または前記置き台の少なくとも一方に設けられて、音響信号を出力する音源手段と、前記端末機器または前記置き台の少なくとも一方に設けられて、前記端末機器が前記載置部に載置された状態で前記音源手段から出力された音響信号に基づき音響出力する音響出力手段とを備えた音響装置において、前記端末機器と前記置き台との一方に設けられて、前記音源手段から出力される音響信号の前記端末機器または前記置き台の少なくとも一方の固有共振周波数の成分を減衰させる減衰手段を有し、前記減衰手段にて前記固有共振周波数に対する周波数の成分が減衰された音響信号に応じた音響を前記音響出力手段から出力させるように構成されたことを特徴とする、音響装置が提供される。
【００１３】
また本発明によれば、置き台に載置可能な筐体と、音響信号を出力する音源手段と、前記置き台に載置された状態で、前記筐体または前記置き台の少なくとも一方に設けられた音響出力手段に前記音源手段から出力された音響信号を伝送する音響信号伝送手段とを備えた端末装置において、前記音響信号伝送手段は、自端末または前記置き台の少なくとも一方の固有共振周波数に対する前記音響手段から出力される音響信号の周波数の成分を減衰させる減衰手段を有して、当該減衰手段は前記固有共振周波数に対する周波数の成分が減衰された音響信号を前記音響周波数手段に伝送するように構成されたことを特徴とする、端末装置が提供される。
【発明の効果】
【００１４】
本発明によれば、音響出力手段の鳴動に起因する振動音（ビビリ音）が低減できる。
その結果、良質な音が得られる。
【発明を実施するための最良の形態】
【００１５】
本発明の音響装置および端末装置の好ましい実施の形態を、添付図面を参照して述べる。
本発明の端末装置の実施の形態としてストレート型の携帯電話機１を例示する。
図１（Ａ）、（Ｂ）は、本実施の形態の携帯電話機１が、本発明の音響装置の１実施の形態としての接続装置２００に載置されている状態を示す。図１（Ａ）は平面図であり、図１（Ｂ）は断面図である。
【００１６】
携帯電話機１の主要部のみ述べる。携帯電話機１は、筐体５と、テンキースイッチ、機能選択バタンなどを有するキー入力部１０と、たとえば、液晶表示器などの表示部１２が配置されている。
本発明の音響装置の１例しての接続装置２００は、携帯電話機１が載置される凹陥部（載置部）が形成されている置き台２１０と、接続装置２００の外部から、たとえば、ＤＣ電圧の電力を受けて携帯電話機１のバッテリの電圧のレベルに変換して携帯電話機１のバッテリに給電する給電部２２０が接続装置２００の内部に配置されている。
【００１７】
携帯電話機１の底部には、接続用端子ＣＴ１、ＣＴ２が設けられており、携帯電話機１が置き台２１０の凹陥部（載置部）に載置されると、置き台２１０の凹陥部（載置部）の底部に設けられた給電用端子ＰＴ１，ＰＴ２と接続状態となり、給電部２２０から携帯電話機１内のバッテリに充電が行われる。
また、携帯電話機１の上部と底部には図示しない係合凹部がそれぞれ形成されており、携帯電話機１が凹陥部（載置部）に載置されると、これら係合凹部に対向した位置で置き台２１０から突出して配置された突出係合子が当該係合凹部に係合する構成となっている。携帯電話機１は置き台２１０の凹陥部（載置部）に載置されると、底部と上部においてそれぞれ置き台２１０と係止されることとなり、この係合凹部と突出係合子により構成される保持部によって携帯電話機１は置き台２１０の凹陥部（載置部）に載置されている状態で保持される構成となっている。なお、この係合凹部と突出係合子とを有して構成される保持部は、上述した構成に限定されることなく、従来と同様の構成により、携帯電話機１を置き台２１０の凹陥部（載置部）に載置された状態で保持する構成であればよい。
本実施の形態においては、上述した充電動作の他、後述する音響処理に起因するビビリ対策が行われるが、その詳細は後述する。
【００１８】
図２は携帯電話機１の筐体５の内部、筐体５の表面に配設された信号処理部１００を主とした構成要素の一部を図解した図である。
信号処理部１００は、無線通信部１０１、ＧＰＳ信号受信部１０２、音声処理部１０４、記憶部１０９、充電器検出部１１０、バッテリ部１１１、制御部１５０を有する。
また、携帯電話機１は、キー入力部１０の他、音声処理部１０４に接続されているスピーカ１０５、マイクロフォン１０６を有する。無線通信部１０１に接続されている無線通信用アンテナ１２１およびＧＰＳ信号受信部１０２に接続されているＧＰＳ用アンテナ１２２は、筐体５内の適宜な場所に配置されている。
【００１９】
制御部１５０は、たとえば、マイクロプロセッサ（μＰ）を用いて構成されており、上述した部分と協働して、たとえば、下記に例示する処理を行う。
なお、制御部１５０で行う主要処理は、記憶部１０９に記憶されたプログラムが制御部１５０内の演算処理ユニット（ＣＰＵ）において下記に述べる処理を遂行することによって実現される。記憶部１０９は、たとえば、上記各処理を行うプログラムおよび固定のパラメータなどを記憶しているＲＯＭ、各種データの一時的な保存（記憶）処理に使用するＲＡＭとを有する。
【００２０】
（１）通話処理
ユーザーがキー入力部１０を介してダイアル操作を行った場合、制御部１５０はそれを検出し、音声処理部１０４、無線通信部１０１および無線通信用アンテナ１２１を介して発呼側と通話処理を行う。たとえば、音声処理部１０４はマイクロフォン１０６から入力された音声信号を処理して無線通信部１０１を介して相手側に送出し、相手側の音声信号をスピーカ１０５を介して出力する。
（２）位置、方位表示処理
ユーザーがキー入力部１０を介して位置・方位表示要求操作を行った場合、総合処理部１５２をそれを検出し、ＧＰＳ信号受信部１０２およびＧＰＳ用アンテナ１２２を介して携帯電話機１の位置情報を入手し、その結果を、たとえば、表示部１２に図形表示する。
（３）その他の処理
制御部１５０はその他、たとえば、バッテリ部１１１の残量管理処理などを行う。
【００２１】
本発明に関係する携帯電話機の信号処理部
信号処理部１００が行う種々の処理のうち、本実施の形態に関係するのは、音声処理部１０４、スピーカ１０５を用いた音声処理が中心となる。音声処理としては、携帯電話機１が無線通信部１０１を介して、ダウンロードした音楽を再生する場合を例示する。また、本実施の形態の携帯電話機１内のスピーカ１０５は音響装置の１例としての接続装置２００からの音楽など、音響信号を再生することにも使用できる。
さらに、図２に図解した信号処理部１００において、本発明に関係するものとして、第１フィルタ１６１および／または第２フィルタ１６２と、制御部１５０内に置き台識別部１５１と、フィルタ特性変更部１５２が設けられていて、記憶部１０９には当該携帯電話機１の固有共振周波数ｆt と、識別される置き台２１０に対応する固有共振周波数ｆc が記憶されている。
【００２２】
本発明に関係する接続装置
接続装置２００は、図３に図解したように、好ましくは、スピーカ２３０と、プロセッサ２４０と、メモリ２５０と、音声処理部２６０と、第１フィルタ部２７１および／または第２フィルタ部１７２とを有する。プロセッサ２４０は携帯電話機１における信号処理部１５０に対応しており、好ましくは、携帯電話機１などの端末機器の識別処理を行う端末機器識別部２４１と、フィルタ特性変更部２４２とを有する。
【００２３】
携帯電話機と接続装置との運用モード
図４（Ａ）〜（Ｃ）および図５（Ａ）〜（Ｃ）は、接続装置２００の置き台２１０の凹陥部（載置部）に携帯電話機１を載置したときの、音響信号および／または音声信号（以下、音信号という）の再生の態様（モード）を概略的に図解した図である。
具体的には、図４（Ａ）〜（Ｃ）には、音楽再生装置や着信発生装置などの音源手段である第１音源Ｍ１を携帯電話機１に配設して、この携帯電話機１を置き台２１０の凹陥部（載置部）に載置した状態で、携帯電話機１に配設されているスピーカーＳＰ１と置き台２１０に配設されているスピーカーＳＰ２との少なくとも一方から音響を出力する音響装置の態様を概略的に示している。
また、図５（Ａ）〜（Ｃ）には、上記同様の音源手段である第２音源Ｍ２を置き台２１０に配設して、この携帯電話機１を置き台２１０に載置した状態で、携帯電話機１に配設されているスピーカーＳＰ１と置き台２１０に配設されているスピーカーＳＰ２との少なくとも一方から音響を出力する音響装置の態様を概略的に示している。そして、携帯電話機１または置き台２１０には、音源手段である第１音源Ｍ１、又は第２音源Ｍ２から出力される音響信号のうち、特定の周波数の成分を減衰させる減衰手段であるフィルタ（第１フィルタ１６１、第２フィルタ１６２）が配置されており、このフィルタによって特定の周波数成分が減衰された音響信号がスピーカーＳＰ１、ＳＰ２に出力されて、これらスピーカーＳＰ１、ＳＰ２によって減衰された音響信号に基づき音響を出力する構成となっている。なお、音源手段Ｍ１、Ｍ２から出力された音響信号をスピーカーＳＰ１、ＳＰ２に伝送する音響信号伝送手段として、音源Ｍ１、Ｍ２とスピーカーＳＰ１、ＳＰ２とを結ぶ信号線やその途中に設けられたフィルタ１６１、１６２が備えられている。
そして、フィルタ１６１、１６２は、携帯電話機１に応じた固有共振周波数ｆt 、または、置き台２１０に応じた固有共振周波数ｆc に対応する周波数成分を減衰する特性を有するように構成されている。
【００２４】
図４（Ａ）〜（Ｃ）において、記号１Ａ〜１Ｆは、携帯電話機１の各態様を示し、Ｍ１は第１音源Ｍ１を示す、第１音源Ｍ１は、たとえば、携帯電話機１内の、たとえば、音声処理部１０４を示す。Ｆ１〜Ｆ４は、携帯電話機１に配設するフィルタを示し、たとえば、第１フィルタ１６１および／または第２フィルタ１６２が対応する。ＳＰ１は第１スピーカ、たとえば、携帯電話機１内のスピーカ１０５を示す。
図５（Ａ）〜（Ｃ）において、記号２００Ａ〜２００Ｆは、接続装置２００を示し、Ｍ２は第２音源Ｍ２を示す、第２音源Ｍ２は、たとえば、携帯電話機１内の音声処理部１０４に対応する接続装置２００の音声処理部２６０を示す。Ｆ５〜Ｆ８は接続装置２００に配設するフィルタを示す。ＳＰ２は第２スピーカ、たとえば、接続装置２００内のスピーカ２３０を示す。
【００２５】
固有共振周波数ｆt の設定
携帯電話機も寸法、重量などが様々であるから、携帯電話機に応じた固有共振周波数ｆt を持つ。好ましくは、携帯電話機１は、その固有共振周波数ｆt を記憶部１０９に記憶しておく。同様に、接続装置２００も、重量などが様々であるから、接続装置（置き台、クレードル）に応じた固有共振周波数ｆc を持つ。好ましくは、接続装置２００のメモリ２５０にその固有共振周波数ｆc を記憶部１０９に記憶しておく。
【００２６】
識別番号の設定
後述するように、携帯電話機１が、接続装置２００の置き台２１０の凹陥部（載置部）に載置されたとき、携帯電話機１内の信号処理部１５０内の置き台識別部１５１と、接続装置２００内のプロセッサ２４０の端末機器識別部２４１とが互いの、あるいは、他方の識別を行うことがある。その場合には、携帯電話機１の記憶部１０９に当該携帯電話機１の識別番号、たとえば、携帯番号を記憶しておく。同様に、接続装置２００のメモリ２５０内に接続装置２００の識別番号、たとえば、携帯番号に類似した装置番号を記憶しておく。
詳細には、図４に示される構成では、携帯電話機１には、置き台２１０の凹陥部（載置部）に載置されたときにこの載置された置き台２１０を識別するための識別部１５１が制御部１５０に設けられており、制御部１５０はこの識別部１５１によって識別された置き台２１０に応じてフィルタ特性変更部１５２によって、識別された置き台２１０が有する固有共振周波数ｆc に対応する周波数成分が減衰されるようにフィルタの特性を変更する。
また、図５に示される構成では、置き台２１０には、携帯電話機１が載置されたときにこの載置された携帯電話機１を識別するための識別部２４１が設けられており、プロセッサ２４０はこの識別部２４１によって識別された携帯電話機１に応じて、フィルタ特性変更部２４２によって、識別された携帯電話機１が有する固有共振周波数ｆt に対応する周波数成分が減衰されるようにフィルタの特性を変更する。
これら携帯電話機１または置き台２１０の識別方法としては、前述したように、携帯電話機の識別番号（たとえば、携帯番号、装置番号）を記憶部１０９やメモリ２５０内に記憶させておき、この識別番号を判定して携帯電話機１または置き台２１０を識別するようにしてもよい。または、携帯電話機１が置き台２１０の凹陥部（載置部）に載置されたときに、携帯電話機１または置き台２１０は、置き台２１０または携帯電話機１より抵抗値を示す信号を入力して、この入力された信号により判定される抵抗値に基づき置き台２１０又は携帯電話機１を判定するような構成であってもよい。この識別構成については限定されるものではなく、携帯電話機１や置き台２１０をそれぞれ識別することができるような構成であればよく、この識別された結果に基づき、フィルタ特性変更部１５２、２４２がフィルタの特性を変更できるような構成であればよい。
【００２７】
フィルタ特性の変化
携帯電話機１と接続装置２００（置き台２１０）とは、それぞれ異なる固有共振周波数ｆt 、ｆc を有しており、携帯電話機１に配設されたスピーカーＳＰ１を鳴動させた場合には、携帯電話機１の固有共振周波数ｆt に応じて振動が発生するとともに、置き台２１０の固有共振周波数ｆc に応じても振動が発生する。また、置き台２１０に配設されるスピーカーＳＰ２を鳴動させた場合にも、置き台２１０の固有共振周波数ｆc に応じて振動が発生するとともに、携帯電話機１の固有共振周波数ｆt に応じても振動が発生する。もちろん、両スピーカーＳＰ１、ＳＰ２を鳴動させる場合にも、携帯電話機１の固有共振周波数ｆt および置き台２１０の固有共振周波数ｆc に応じた振動が発生する。
したがって、携帯電話機１と接続装置２００との組み合わせ態様と、携帯電話機１および置き台２１０との組み合わせ態様と、携帯電話機１および置き台２１０の各固有共振周波数ｆt 、ｆc に応じて、音響信号における各固有共振周波数に対応する周波数成分が減衰されるように、携帯電話機１内の第１フィルタ１６１、および／または、第２フィルタ１６２、あるいは、接続装置２００内の第１フィルタ部２７１および／または第２フィルタ部２７２は、フィルタ特性が変化可能、または、それぞれ、異なるフィルタ特性を持つ複数をフィルタを準備しておき、各固有共振周波数に応じて選択的に使用することが望ましい。
携帯電話機１のフィルタ特性変更部１５２、接続装置２００のフィルタ特性変更部２４２はそのようなフィルタ特性の変更を行う。
【００２８】
以下、各モードの詳細について述べる。
【００２９】
第１例
図４（Ａ）は、携帯電話機１（１Ａ）が接続装置２００（２００Ａ）の置き台２１０の凹陥部（載置部）内に載置されたとき、携帯電話機１内の第１音源Ｍ１（音声処理部１０４）からの音を、第１フィルタＦ１（第１フィルタ１６１）を介して、第１スピーカＳＰ１（スピーカ１０５）から出力する場合を示している。
【００３０】
（１）基本的方法
この場合、基本的に第１スピーカＳＰ１の鳴動によって接続装置２００の置き台２１０内で振動するのは携帯電話機１である。したがって、基本的には、第１フィルタＦ１（フィルタ１６１）の特性は、携帯電話機１の固有共振周波数ｆt の成分において大きく減衰する特性のフィルタを用いることが望ましい。そうすると、固有共振周波数ｆt の成分が減衰された第１スピーカＳＰ１に入力されないので、その鳴動に伴う振動が抑制される。  その結果、第１スピーカＳＰ１（スピーカ１０５）によるビビリは低減する。
【００３１】
そのようなフィルタとしては、公知のバンド・リジェクション・フィルタ（ＢＲＦ）、ノッチフィルタ（ＮＦ）、ノッチフィルタの複合体のコムフィルタなどを用いることができる。
ＢＲＦは、特定の帯域において、大きな減衰特性を持つフィルタである。ＮＦは特定の周波数において楔型の大きな減衰（垂下）特性を持つフィルタである。
【００３２】
（２）改良方法（１）
携帯電話機１が接続装置２００に載置されることにより、第１スピーカＳＰ１の振動が質量の大きな接続装置２００によって吸収される一方、置き台２１０の凹陥部（載置部）に載置されており、接続装置２００とは遊嵌状態であるが、接続装置２００も携帯電話機１の第１スピーカＳＰ１の鳴動により振動する。
以上から、好ましくは、第１フィルタＦ１の減衰特性としては、携帯電話機１の固有共振周波数ｆt と接続装置２００の固有共振周波数ｆc との両者の成分を減衰ものとすることが好ましい。
このように行えば、第１スピーカＳＰ１（スピーカ１０５）によるビビリは一層低減する。
【００３３】
（３）改良方法（２）
携帯電話機１が種々の接続装置に載置可能であり、接続装置２００も種々の携帯電話機と組み合わせ可能に構成されているときは、好ましくは、次のように行う。
携帯電話機１が接続装置２００の置き台２１０の凹陥部（載置部）に載置されたとき、たとえば、図示しない接続端子が相互に接続された、置き台識別部１５１と端末機器識別部２４１とが、相互に通信可能となったとき、通信相手を識別する。識別方法としては、たとえば、携帯電話機１の携帯番号と前処理回路部２０の装置番号を用いる。これにより、相互に接続可能であることが確認されたら、相互に固有共振周波数ｆt と固有共振周波数ｆc とを交換する。
本例では、第１フィルタＦ１を有する携帯電話機１のフィルタ特性変更部１５２が、接続装置２００から重心固有共振周波数ｆc と、記憶部１０９に記憶されている固有共振周波数ｆt とから、第１フィルタ１６１のフィルタ特性を望ましいものとする。
その選択方法は、上述したように、たとえば、第１フィルタ１６１として複数の減衰特性の異なるフィルタを準備しておき、最も適切なフィルタを選択する。
このように行えば、第１スピーカＳＰ１（スピーカ１０５）によるビビリはさらに低減する。
【００３４】
第２例
図４（Ｂ）は、携帯電話機１（１Ａ）が接続装置２００（２００Ａ）の置き台２１０の凹陥部内に載置されたとき、携帯電話機１内の第１音源Ｍ１（音声処理部１０４）からの音を、第２フィルタＦ２（フィルタ１６２）を介して、第２スピーカＳＰ２（接続装置２００内のスピーカ２３０）から出力する場合を示している。
接続装置２００内のスピーカ２３０は空間的な余裕もあり、携帯電話機１内の第１スピーカＳＰ１より音質のよい音を再生可能である。たとえば、携帯電話機１が音楽をダウンロードしたものを、音声処理部１０４を第１音源Ｍ１として、スピーカ２３０が再生すれば、良質の再生音が得られるし、大きな音量で聴くこともできる。
この場合、鳴動するのはスピーカ２３０であり、鳴動により振動するのは、携帯電話機１と接続装置２００である。
【００３５】
（１）基本的方法
携帯電話機１内のフィルタＦ２（フィルタ１６２）としては、携帯電話機１を接続装置２００に載置してスピーカ２３０を鳴動させた時の共振周波数の特性に選択しておく。
フィルタＦ２の減衰特性は、第１例、改良方法（１）で述べたと同様となる。
その結果、第１スピーカＳＰ１（スピーカ１０５）によるビビリは低減する。
【００３６】
（２）改良方法（１）
携帯電話機１が種々の接続装置に載置可能であり、接続装置２００も種々の携帯電話機と組み合わせ可能に構成されているときは、好ましくは、第１例、改良方法（２）で述べたと同様に、相互に相手を識別し、固有共振周波数ｆt 、固有共振周波数ｆc を交換し、フィルタＦ２（フィルタ１６２）フィルタ特性を望ましいものとする。
このように行えば、第２スピーカＳＰ２（スピーカ２３０）によるビビリはさらに低減する。
【００３７】
第３例
図４（Ｃ）は、携帯電話機１（１Ａ）が接続装置２００（２００Ａ）の置き台２１０の凹陥部（載置部）内に載置されたとき、携帯電話機１内の第１音源Ｍ１（音声処理部１０４）からの音を、フィルタＦ１（フィルタ１６１）を介して、第１スピーカＳＰ１（スピーカ１０５）で再生し、同時に、第２フィルタＦ２（フィルタ１６２）を介して、第２スピーカＳＰ２（スピーカ２３０）で再生する場合を示している。
この場合は、第１スピーカＳＰ１と第２スピーカＳＰ２とが同時に鳴動する。
【００３８】
（１）基本的方法
携帯電話機１内のフィルタＦ１（フィルタ１６１）として携帯電話機１の固有共振周波数ｆt に減衰特性を持つフィルタを用い、フィルタＦ２（フィルタ１６２）として接続装置２００の固有共振周波数ｆc に大きな減衰特性をもつフィルタ（フィルタ１６２）を用いる。
その結果、第１スピーカＳＰ１と第２スピーカＳＰ２とによる相乗的なビビリは低減する。
【００３９】
（２）改良方法（１）
携帯電話機１が種々の接続装置に載置可能であり、接続装置２００も種々の携帯電話機と組み合わせ可能に構成されているときは、好ましくは、第１例、改良方法（２）で述べたと同様に、相互に相手を識別し、固有共振周波数ｆt 、固有共振周波数ｆc を交換し、フィルタＦ１、Ｆ２のフィルタ特性を望ましいものとする。
このように行えば、第１スピーカＳＰ１と第２スピーカＳＰ２とによる相乗的なビビリはさらに低減する。
【００４０】
第４〜６例
図５（Ａ）〜（Ｃ）は、第２音源Ｍ２が、接続装置２００内にある音声処理部２６０であり、フィルタも接続装置２００にある場合を示す。
これらの場合、上述した携帯電話機１で行った処理を、接続装置２００の端末機器識別部２４１、フィルタ特性変更部２４２で行い、第１フィルタ部２７１、第２フィルタ部１７２を固有共振周波数ｆt 、固有共振周波数ｆc を参照して適宜設定すればよい。
よって、詳細な説明は割愛する。
【００４１】
上述したように、本発明の実施の形態によれば、ビビリ音、すなわち、スピーカの鳴動に起因する振動音を非常に低減することができる。その結果、携帯電話機１、接続装置２００を組み合わせて使用した場合、本来の効果を奏することができる。
【００４２】
本発明の実施に際しては、上記実施の形態には限定されないことは自明である。
なお、上記実施の形態においては、携帯電話機を端末機器として例示したが、端末機器としては携帯電話機には限定されない。本発明の端末機器としては、音声再生機能を有する端末装置に広く適用できる。
【００４３】
また上述した実施の形態では、音楽再生による音響信号に基づく音響出力について説明したが、これに限定されることなく、携帯電話機１または置き台２１０に設けられる音源から出力される音響信号に基づき携帯電話機１と置き台２１０との少なくとも一方から音響出力されるものに適用可能であり、たとえば、着信音の出力などにも適用できる。
【００４４】
また、携帯電話機１または置き台２１０がもつ固有共振周波数は、上述したように、固有共振周波数ｆt 、ｆc を１つだけでなく、それぞれ複数の固有共振周波数を有する場合がある。そのような場合には、携帯電話機１および置き台２１０が有する複数の固有共振周波数ｆt 、ｆc の全てまたは主な周波数における周波数成分を減衰させるように構成すればよい。
また、携帯電話機１の記憶部１０９には、その携帯電話機１の固有共振周波数ｆt とともに識別される複数の置き台２１０に対応する固有共振周波数ｆc が記憶され、置き台２１０のメモリ２５０には、その置き台２１０の固有共振周波数ｆc とともに識別される複数の携帯電話機１に対応する固有共振周波数が記憶されているが、これら識別される置き台２１０又は携帯電話機１に対応する固有共振周波数ｆc、ｆtを記憶することなく、これらを識別した際に、これらの固有共振周波数ｆc、ｆtを取得するように構成してもよい。
【００４５】
また音響装置の例示として、充電機能を持つ接続装置２００について述べたが、本発明において、充電機能は関係がない。
【図面の簡単な説明】
【００４６】
【図１】図１（Ａ），（Ｂ）は本発明の音響装置置き台端末装置の実施の形態の概略構成図である。
【図２】図２は、図１に図解した携帯電話機の信号処理部を図解した図である。
【図３】図３は図１に図解した接続装置の信号処理部の概略構成図である。
【図４】図４（Ａ）〜（Ｃ）は、本発明の実施の形態の第１〜第３の例のモードを図解した図である。
【図５】図５（Ａ）〜（Ｃ）は、本発明の実施の形態の第４〜第６の例のモードを図解した図である。
【符号の説明】
【００４７】
１…携帯電話機、５…筐体、
１０４…音声処理部、１０５…スピーカ、１０９…記憶部
１５０…信号処理部、１５１…置き台識別部、１５２…フィルタ特性変更部
１６１、１６２…フィルタ
２００…接続装置、
２１０…置き台、２２０…給電部、２３０…スピーカ
２４０…プロセッサ、２４１…端末機器識別部、２４２…フィルタ特性変更部
２５０…メモリ、２６０…音声処理部、
２７１、２７２…フィルタ
【図１】
2007243360.tif 000003
【図２】
2007243360.tif 000004
【図３】
2007243360.tif 000005
【図４】
2007243360.tif 000006
【図５】
2007243360.tif 000007